(57)【要約】【課題】酸素排出器から酸素が漏れ出るのを迅速に停止することのできる酸素供給装置を提供する。【解決手段】酸素供給装置１は、空気を吸い込んで圧縮する空気圧縮機２１を備えた酸素供給源６と、酸素供給部６からカニューラ（酸素排出器）５０に対して酸素を供給するための酸素供給流路７および酸素供給チューブ３と、酸素供給流路７の途中に設けられた三方弁１０と、空気圧縮機２１に空気を導入するための空気吸込流路２１ａと三方弁１０に接続された酸素吸込流路１１と、制御部１２とを有する。三方弁１０は、酸素供給部６からカニューラ５０への酸素の流れを遮断し、且つ、カニューラ５０と酸素吸込流路１１とを連通させる状態と、酸素供給部６からカニューラ５０への酸素の流れを遮断しないで、且つ、カニューラ５０を酸素吸込流路１１に連通させない状態とを切り換え可能に構成されている。【選択図】図１
2013066528.tif 000002
【特許請求の範囲】
【請求項１】
酸素供給源と、
前記酸素供給源から酸素排出器に対して酸素を供給するための酸素供給流路と、
前記酸素供給源から前記酸素排出器に対して酸素が供給されるのを停止する酸素供給停止手段と、
前記酸素供給流路内の前記酸素供給停止手段による供給停止部と前記酸素排出器との間の酸素を吸い込む酸素吸込手段と、
前記酸素供給停止手段および前記酸素吸込手段とを制御する制御部と、
を備えることを特徴とする酸素供給装置。
【請求項２】
温度または煙を検知する検知手段を備えており、
前記制御部は、
前記検知手段の検知結果に基づいて、前記酸素供給停止手段および前記酸素吸込手段を制御することを特徴とする請求項１に記載の酸素供給装置。
【請求項３】
前記酸素供給源は、
空気を吸い込んで圧縮する空気圧縮機と、
前記空気圧縮機から供給された圧縮空気の窒素を吸着して酸素濃縮ガスを生成させる吸着部と、
を備えており、
前記酸素吸込手段は、
前記供給停止部と前記酸素排出器との間を、前記空気圧縮機に空気を導くための空気吸込流路に連通させる酸素吸込流路を有していることを特徴とする請求項１または２に記載の酸素供給装置。
【請求項４】
前記酸素供給流路に配置され、前記酸素吸込流路が接続される三方弁を備えており、
前記三方弁は、
前記酸素供給源から前記酸素排出器への酸素の流れを遮断し、且つ、前記三方弁と前記酸素排出器との間を、前記酸素吸込流路に連通させる状態と、
前記酸素供給源から前記酸素排出器への酸素の流れを遮断しないで、且つ、前記酸素供給流路を前記酸素吸込流路に連通させない状態と、
を切り換え可能であって、
前記酸素供給停止手段は、前記三方弁で構成され、
前記酸素吸込手段は、前記三方弁と前記酸素吸込流路と前記空気圧縮機で構成されることを特徴とする請求項３に記載の酸素供給装置。
【請求項５】
前記制御部は、
前記酸素供給停止手段により酸素供給を停止すると同時にまたは停止後に、前記空気圧縮機を駆動する駆動力を大きくすることを特徴とする請求項３または４に記載の酸素供給装置。
【発明の詳細な説明】
【技術分野】
【０００１】
本発明は、酸素供給源から酸素供給流路を介して酸素排出器に酸素を供給する酸素供給装置に関する。
【背景技術】
【０００２】
従来から、酸素を鼻から吸引するためのカニューラと呼ばれる器具などに酸素を供給するために酸素供給装置が用いられている。酸素供給装置としては、例えば、空気中の窒素を吸着させて酸素濃縮ガスを生成する吸着方式の酸素濃縮装置（特許文献１参照）や、酸素ボンベ等が知られている。このような酸素供給装置は、酸素を生成または貯留する装置本体と、装置本体に接続されて、装置本体からカニューラに酸素を供給するための酸素供給チューブとを備えている。
【０００３】
従来の酸素供給装置では、装置本体から酸素供給チューブに対して酸素が供給されるのを停止することで、カニューラから酸素が排出されるのを停止させていた。
【先行技術文献】
【特許文献】
【０００４】
【特許文献１】特開２００８−１３６６６３号公報
【発明の概要】
【発明が解決しようとする課題】
【０００５】
しかしながら、装置本体から酸素供給チューブに酸素が供給されるのを停止するだけでは、酸素供給チューブ内に酸素が残っている。そのため、火災が発生した際、酸素供給チューブへの酸素の供給を停止させても、チューブ内に残留した酸素がカニューラから漏れ出て、火災が拡大するという問題があった。
【０００６】
そこで、この発明は、酸素排出器から酸素が漏れ出るのを迅速に停止することのできる酸素供給装置を提供することを目的とする。
【課題を解決するための手段】
【０００７】
上記課題を解決するために、第１の発明に係る酸素供給装置は、酸素供給源と、前記酸素供給源から酸素排出器に対して酸素を供給するための酸素供給流路と、前記酸素供給源から前記酸素排出器に対して酸素が供給されるのを停止する酸素供給停止手段と、前記酸素供給流路内の前記酸素供給停止手段による供給停止部と前記酸素排出器との間の酸素を吸い込む酸素吸込手段と、前記酸素供給停止手段および前記酸素吸込手段とを制御する制御部と、を備えることを特徴とする。
【０００８】
この酸素供給装置では、酸素供給源から酸素排出器への酸素供給の流れを停止したときに、供給停止部と酸素排出器との間に残留している酸素を吸い込むため、酸素排出器から酸素が漏れ出るのを迅速に停止することができる。したがって、たとえ火災が発生しても火災が拡大するのを防止できる。
なお、「酸素供給源から酸素排出器に対して酸素が供給されるのを停止する」とは、酸素供給流路の途中または端部（酸素供給源または酸素排出器との連結部）において酸素供給を遮断する場合と、酸素供給源において酸素供給を遮断または酸素生成を停止する場合とを含む。
また、「酸素供給流路内の酸素供給停止手段による供給停止部」とは、酸素供給流路において酸素供給を遮断する場合には、酸素供給を遮断する位置のことであって、酸素供給源において酸素供給を遮断または酸素生成を停止する場合には、酸素供給流路の酸素供給源側の端部のことである。
【０００９】
第２の発明に係る酸素供給装置は、第１の発明において、温度または煙を検知する検知手段を備えており、前記制御部は、前記検知手段の検知結果に基づいて、前記酸素供給停止手段および前記酸素吸込手段を制御することを特徴とする。
【００１０】
この酸素供給装置では、温度条件または煙の発生に応じて、酸素供給を停止して、残留酸素を吸い込むことができる。
【００１１】
第３の発明に係る酸素供給装置は、第１または第２の発明において、前記酸素供給源は、空気を吸い込んで圧縮する空気圧縮機と、前記空気圧縮機から供給された圧縮空気の窒素を吸着して酸素濃縮ガスを生成させる吸着部と、を備えており、前記酸素吸込手段は、前記供給停止部と前記酸素排出器との間を、前記空気圧縮機に空気を導くための空気吸込流路に連通させる酸素吸込流路を有していることを特徴とする。
【００１２】
この酸素供給装置では、吸込動作中の空気圧縮機を利用して、供給停止部と酸素排出器との間に残留している酸素を吸い込むため、酸素を吸い込むための専用のポンプ等を別途設けなくて済む。
【００１３】
第４の発明に係る酸素供給装置は、第３の発明において、前記酸素供給流路に配置され、前記酸素吸込流路が接続される三方弁を備えており、前記三方弁は、前記酸素供給源から前記酸素排出器への酸素の流れを遮断し、且つ、前記三方弁と前記酸素排出器との間を、前記酸素吸込流路に連通させる状態と、前記酸素供給源から前記酸素排出器への酸素の流れを遮断しないで、且つ、前記酸素供給流路を前記酸素吸込流路に連通させない状態と、を切り換え可能であって、前記酸素供給停止手段は、前記三方弁で構成され、前記酸素吸込手段は、前記三方弁と前記酸素吸込流路と前記空気圧縮機で構成されることを特徴とする。
【００１４】
この酸素供給装置では、酸素供給源と酸素排出器との連通・遮断を切り換える機構と、酸素吸込流路と酸素排出器との連通・遮断を切り換える機構とが１つの三方弁で構成されているため、別々の２つの弁を設けなくて済む。
【００１５】
第５の発明に係る酸素供給装置は、第３または第４の発明において、前記制御部は、前記酸素供給停止手段により酸素供給を停止すると同時にまたは停止後に、前記空気圧縮機を駆動する駆動力を大きくすることを特徴とする。
【００１６】
この酸素供給装置では、酸素供給を停止して残留酸素を吸い込む際、空気圧縮機を駆動する駆動力を大きくして、空気圧縮機の吸込力を上げるため、残留酸素を迅速に吸い込むことができる。
【発明の効果】
【００１７】
以上の説明に述べたように、本発明によれば、以下の効果が得られる。
【００１８】
第１の発明では、酸素供給源から酸素排出器への酸素供給の流れを停止したときに、供給停止部と酸素排出器との間に残留している酸素を吸い込むため、酸素排出器から酸素が漏れ出るのを迅速に停止することができる。したがって、たとえ火災が発生しても火災が拡大するのを防止できる。
【００１９】
第２の発明では、温度条件または煙の発生に応じて、酸素供給を停止して、残留酸素を吸い込むことができる。
【００２０】
第３の発明では、吸込動作中の空気圧縮機を利用して、供給停止部と酸素排出器との間に残留している酸素を吸い込むため、酸素を吸い込むための専用のポンプ等を別途設けなくて済む。
【００２１】
第４の発明では、酸素供給源と酸素排出器との連通・遮断を切り換える機構と、酸素吸込流路と酸素排出器との連通・遮断を切り換える機構とが１つの三方弁で構成されているため、別々の２つの弁を設けなくて済む。
【００２２】
第５の発明では、酸素供給を停止して残留酸素を吸い込む際、空気圧縮機を駆動する駆動力を大きくして、空気圧縮機の吸込力を上げるため、残留酸素を迅速に吸い込むことができる。
【図面の簡単な説明】
【００２３】
【図１】本発明の実施形態に係る酸素供給装置の酸素供給時の状態を示す図である。
【図２】本発明の実施形態に係る酸素供給装置の酸素吸引時の状態を示す図である。
【図３】本発明の他の実施形態に係る酸素供給装置を示す図である。
【図４】本発明の他の実施形態に係る酸素供給装置を示す図である。
【図５】本発明の他の実施形態に係る酸素供給装置を示す図である。
【発明を実施するための形態】
【００２４】
以下、本発明に係る酸素供給装置の実施の形態について説明する。
本実施形態では、空気中の窒素を吸着させて酸素濃縮ガスを生成する酸素濃縮装置に、本発明を適用した例について説明する。
【００２５】
図１に示すように、本実施形態の酸素濃縮装置１は、酸素を鼻から吸引するために用いるカニューラ（酸素排出器）５０に接続され、このカニューラ５０に酸素を供給する。なお、酸素濃縮装置１は、カニューラ以外の酸素排出用の器具に接続されていてもよい。
【００２６】
酸素濃縮装置１は、装置本体２と、装置本体２の酸素排出口５ｃとカニューラ５０とを連通させる可撓性の酸素供給チューブ３と、酸素供給チューブ３とカニューラ５０との連結部に取り付けられた温度検知センサ（検知手段）４とから構成されている。温度検知センサ４は、カニューラ５０の周囲の温度を検知するためのものである。
【００２７】
装置本体２は、空気吸込口５ａと排気口５ｂと酸素排出口５ｃとが形成されたケーシング５と、酸素供給部（酸素供給源）６と、酸素供給部６と酸素排出口５ｃとを接続する酸素供給流路７と、酸素供給流路７に配置された減圧弁８と流量調整器９と三方弁１０と、三方弁１０に接続された酸素吸込流路１１と、制御部１２と、ケーシング５の外面に設けられ、制御部１２に接続されたスイッチ１３とを備えている。なお、本発明の酸素供給流路は、酸素供給流路７と酸素供給チューブ３とから構成される。
【００２８】
酸素供給部６は、空気圧縮機２１と、２つの方向制御弁２２、２３と、２つの吸着筒（吸着部）２４、２５と、パージ弁２６と、２つの逆止弁２７、２８と、酸素タンク２９とを有する。
【００２９】
空気圧縮機２１は、空気吸込口５ａおよび空気吸込流路２１ａを介して、ケーシング５の外部の空気を吸い込んで圧縮する。空気圧縮機２１は、モータ（図示省略）と、このモータで駆動され、１８０度の位相ずれで往復動運動する２つのシリンダ機構（図示省略）とを有している。そのため、空気圧縮機２１は、常に何れか一方のシリンダ機構によって、吸い込み動作を行っている。また、詳細は後述するが、空気圧縮機２１は、三方弁１０とカニューラ５０との間に残留している酸素濃縮ガスを吸引するための手段を兼ねている。
【００３０】
２つの吸着筒２４、２５は、２つの方向制御弁２２、２３によって交互に空気圧縮機２１の排気口と排気口５ｂとに連通される。吸着筒２４、２５は、空気圧縮機２１から方向制御弁２２、２３を介して供給された圧縮空気中の窒素を吸着して酸素濃縮ガスを生成する。吸着筒２４、２５の内部には、高圧下で窒素を吸着して、低圧下で吸着した窒素を脱離させるゼオライトなどの吸着剤が封入されている。
【００３１】
また、吸着筒２４、２５の流出口は、逆流を防止するための逆止弁２７、２８を介して、酸素タンク２９に連通している。酸素タンク２９は、吸着筒２４、２５で生成された酸素濃縮ガスを一時的に貯留する。酸素タンク２９の流出口は、酸素供給流路７に接続されている。
【００３２】
また、吸着筒２４、２５の流出口は、制御部１２によって開閉が制御されるパージ弁２６を介して互いに連通している。パージ（残圧排気）弁２６は、高圧側の吸着筒から低圧側の吸着筒に所定量の酸素濃縮ガスを導いて、低圧側の吸着筒の吸着剤から窒素を放出させるのを助けるために設けられている。
【００３３】
図１は、吸着筒２４が、空気圧縮機２１と連通し、吸着筒２５が、排気口５ｂと連通する状態を示している。この場合には、吸着筒２４に圧縮空気が供給されて酸素濃縮ガスが生成される。一方、吸着筒２５は大気に開放されて、吸着剤に吸着されていた窒素が脱離して、排気口５ｂからケーシング５の外部に排出される。また、図示は省略するが、方向制御弁２２、２３の切換位置が図１と反対側の場合には、吸着筒２５において酸素濃縮ガスが生成され、吸着筒２４において吸着剤から窒素が脱離して放出される。以上の工程を交互に繰り返すことにより、連続して安定した酸素の生成を行う。
【００３４】
三方弁１０は、酸素供給流路７の流量調整器９と酸素排出口５ｃとの間の位置に配置されていると共に、酸素吸込流路１１に接続されている。この酸素吸込流路１１の三方弁１０と反対側の端部は、空気吸込流路２１ａの途中部に接続されている。三方弁１０は、制御部１２から送信される信号とスプリングとによって、２つの切換位置１０ａ、１０ｂに切り換え可能な電磁作動式の弁である。
【００３５】
図１に示すように、三方弁１０は、励磁されていないときには、スプリングの付勢力によって、切換位置１０ａとなり、酸素供給部６と酸素排出口５ｃとが連通すると共に、酸素吸込流路１１と酸素排出口５ｃとの連通が遮断される。また、図２に示すように、三方弁１０は、励磁されたときには、切換位置１０ｂとなり、酸素供給部６と酸素排出口５ｃとの連通が遮断されると共に、酸素吸込流路１１と酸素排出口５ｃとが連通する。
【００３６】
制御部１２は、方向制御弁２２、２３とパージ弁２６と空気圧縮機２１等を制御する。また、制御部１２は、温度検知センサ４による検知結果と、スイッチ１３の操作に基づいて、三方弁１０を制御する。詳細には、制御部１２は、温度検知センサ４から送信される信号を有線または無線で受信可能となっていると共に、温度検知センサ４による検知温度が、所定の温度を超えるか否か判断する判断部１２ａを有する。この判断部１２ａが検知温度が所定の温度よりも高いと判断したとき、制御部１２は、三方弁１０を切換位置１０ｂに切り換える。また、制御部１２は、スイッチ１３が操作されると、三方弁１０を切換位置１０ｂから切換位置１０ａに切り換える。このスイッチ１３は、酸素吸込状態を解除するために設けられている。
【００３７】
また、判断部１２ａにおいて温度検知センサ４による検知温度が所定の温度よりも高いと判断されたとき、制御部１２は、空気圧縮機２１のモータの回転数を一時的に大きくする。回転数を大きくするのは、三方弁１０を切換位置１０ｂに切り換えるのと同時であっても、切り換えた直後であってもよい。
【００３８】
次に、酸素濃縮装置１の動作について説明する。
【００３９】
空気圧縮機２１のモータの電源を入れると、ケーシング５の外部の空気が、空気吸込口５ａと空気吸込流路２１ａとを介して空気圧縮機２１に吸い込まれて圧縮される。圧縮された空気は、吸着筒２４、２５の何れか一方に供給されて、酸素濃縮ガスが生成される。生成された酸素濃縮ガスは、酸素タンク２９に貯留される。
【００４０】
ここで、温度検知センサ４による検知温度が所定の温度よりも低い場合には、図１に示すように、三方弁１０は切換位置１０ａとなっており、酸素供給流路７は遮断されておらず、酸素吸込流路１１と酸素供給流路７との連通が遮断されている。そのため、酸素タンク２９に貯留された酸素濃縮ガスは、酸素供給流路７および酸素供給チューブ３を介して、カニューラ５０に供給される。
【００４１】
一方、温度検知センサ４による検知温度が所定の温度よりも高くなったときには、図２に示すように、三方弁１０が切換位置１０ｂに切り換えられ、酸素供給部６と酸素供給チューブ３との連通が遮断されると共に、酸素吸込流路１１と酸素供給チューブ３とが連通する。これにより、酸素供給部６からカニューラ５０への酸素濃縮ガスの供給の流れが遮断される。また、三方弁１０とカニューラ５０との間に残留している酸素濃縮ガスが、酸素吸込流路１１を介して空気圧縮機２１に吸い込まれる。このとき、制御部１２によって空気圧縮機２１の駆動力は一時的に大きくなり、空気圧縮機２１の吸引力が高くなるため、酸素濃縮ガスは迅速に吸引される。
【００４２】
その後、使用者がスイッチ１３を操作することにより、三方弁１０は切換位置１０ａに切り換えられ、酸素濃縮ガスの供給が開始される。
【００４３】
以上説明したように、本実施形態の酸素濃縮装置１では、三方弁１０によって酸素供給部６からカニューラ５０への酸素供給の流れを停止したときに、三方弁１０とカニューラ５０との間に残留している酸素を吸い込むため、カニューラ５０から酸素が漏れ出るのを迅速に停止することができる。したがって、たとえ火災が発生しても火災が拡大するのを防止できる。
【００４４】
また、この酸素濃縮装置１では、温度検知センサ４を備えていることにより、温度条件に応じて、酸素供給を停止して、残留している酸素濃縮ガスを吸い込むことができる。
【００４５】
また、この酸素濃縮装置１では、吸込動作中の空気圧縮機２１を利用して、三方弁１０とカニューラ５０との間に残留している酸素を吸い込むため、酸素を吸い込むための専用のポンプ等を別途設けなくて済む。
【００４６】
また、この酸素濃縮装置１では、酸素供給部６とカニューラ５０との連通・遮断を切り換える機構と、酸素吸込流路１１とカニューラ５０との連通・遮断を切り換える機構とが１つの三方弁１０で構成されているため、別々の２つの弁を設けなくて済む。
【００４７】
また、この酸素濃縮装置１では、酸素供給を停止して、残留している酸素濃縮ガスを吸い込む際、空気圧縮機２１を駆動する駆動力を大きくして、空気圧縮機２１の吸込力を上げるため、残留ししている酸素濃縮ガスを迅速に吸い込むことができる。
【００４８】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００４９】
例えば、上記実施形態では、温度検知センサ４は、酸素供給チューブ３とカニューラ５０との連結部に取り付けられているが、温度検知センサ４の取付位置はこれに限定されるものではない。例えば、酸素供給チューブ３の途中部やカニューラ５０やケーシング５に取り付けられてもよく、部屋の天井等に取り付けられてもよい。
【００５０】
また、酸素濃縮装置１は、温度検知センサ４に代えて、煙を検知する煙検知センサを備えていてもよい。また、温度検知センサ４と煙検知センサの両方を備えていてもよい。煙検知センサは、温度検知センサ４と同じく、酸素供給チューブ３や部屋の天井等に取り付けられ、煙を検知すると制御部１２に信号を送信する。制御部１２は、煙検知センサからの信号を受信すると、三方弁１０を切換位置１０ｂに切り換えると共に、空気圧縮機２１の駆動力を大きくする。
【００５１】
また、上記実施形態では、温度検知センサ４による検知温度が所定の温度よりも高いときに、制御部１２は、空気圧縮機２１の駆動力を一時的に大きくするようになっているが、駆動力を大きくしなくてもよい。
【００５２】
また、上記実施形態では、三方弁１０は、酸素供給流路７において、流量調整器９と酸素排出口５ｃとの間に配置されているが、酸素供給流路７の他の途中部または端部（酸素供給部６または酸素排出口５ｃとの連結部）に設けてもよい。
【００５３】
また、三方弁１０は、酸素供給チューブ３の途中部または端部（酸素排出口５ｃまたはカニューラ５０との連結部）に設けてもよい。図３は、酸素供給チューブ３と酸素排出口５ｃとの連結部に三方弁１０を配置した例である。図３の酸素濃縮装置１０１では、酸素供給チューブ３と酸素排出口５ｃとの連結部に、温度検知センサ４から送信される信号を受信して、三方弁１０を制御する制御部（図示省略）と、三方弁１０とを内蔵した機器１０２が設けている。また、三方弁１０をケーシング５の外部に設ける場合には、図３に示すように、酸素吸込流路１１もケーシング５の外部に配置して、酸素吸込流路１１の三方弁１０と反対側の端部を、ケーシング５の外側から空気吸込流路２１ａに接続してもよい。
【００５４】
また、上記実施形態では、酸素供給流路（酸素供給路７および酸素供給チューブ３）において、酸素供給を遮断することで、カニューラ５０への酸素供給を停止しているが、酸素供給源６において酸素供給を遮断または酸素生成を停止することで、カニューラ５０への酸素供給を停止してもよい。この構成の場合、酸素供給を停止したときに、酸素供給流路７の酸素供給源６側の端部と、カニューラ５０との間の酸素濃縮ガスが、空気圧縮機２１に吸い込まれるように構成する。
【００５５】
また、上記実施形態では、酸素供給部６とカニューラ５０との連通・遮断の切り換えと、酸素吸込流路１１とカニューラ５０との連通・遮断の切り換えを、１つの三方弁１０によって行っているが、例えば図４に示す酸素濃縮装置２０１のように、２つの切り換えを別々の二方弁２０２、２０３で行ってもよい。この場合、酸素吸込流路１１は、酸素供給部６とカニューラ５０との連通・遮断の切り換えを行う二方弁（酸素供給停止手段、供給停止部）２０２の配置位置よりも、酸素供給の流れ方向の下流側に接続される。また、酸素吸込流路１１とカニューラ５０との連通・遮断の切り換えを行う二方弁２０３は、図４に示すように、酸素吸込流路１１の途中部に設けてもよく、酸素吸込流路１１の端部（酸素供給流路７または空気吸込流路２１ａとの連結部）に設けてもよい。酸素濃縮装置２０１では、二方弁２０３と酸素吸込流路１１と空気圧縮機２１とによって、本発明の酸素吸込手段が構成される。
【００５６】
また、上記実施形態では、酸素吸込流路１１を、空気圧縮機２１に空気を導くための空気吸込流路２１ａに接続して、空気圧縮機２１の吸い込み動作を利用して酸素濃縮ガスを吸引しているが、空気圧縮機２１を利用せずに、例えば図５に示す酸素濃縮装置３０１のように、酸素濃縮ガスを吸い込むための吸引ポンプ３０２を別途設けて、この吸引ポンプ３０２によって酸素濃縮ガスを吸引してもよい。この吸引ポンプ３０２は、温度検知センサ４による検知温度が所定温度よりも高くなったときにのみ作動するようにしてもよく、常時作動させてもよい。前者の場合、図５に示すように、三方弁１０に代えて二方弁（酸素供給停止手段、供給停止部）３０３を酸素供給流路７に配置すると共に、酸素吸込流路１１をこの二方弁３０３の酸素供給の流れ方向の下流側に接続して、吸引ポンプ３０２と酸素供給流路７とを酸素吸込流路１１を介して常に連通させてもよい。酸素濃縮装置３０１では、二方弁３０３と吸引ポンプ３０２とによって、本発明の酸素吸込手段が構成される。
【００５７】
また、上記実施形態では、空気圧縮機２１が備えるシリンダ機構の数は２つであるが、１つであっても、３つ以上であってもよい。２つ以上のシリンダ機構を有する場合には、常に何れか１つのシリンダ機構が吸い込み動作を行うようにできるため、シリンダ機構を１つしか有さない場合に比べて、酸素濃縮ガスを確実に素早く吸い込むことができる。この点では、２つ以上のシリンダ機構を備えていることが好ましい。
【００５８】
また、空気圧縮機２１は、空気を吸い込んで圧縮するものであれば、シリンダ機構を用いたものに限定されない。
【００５９】
また、上記実施形態の酸素濃縮装置１は、略大気圧下で吸着剤に吸着した窒素の脱離を行う圧力スィング吸着（ＰＳＡ：Pressure Swing Adsorption System）方式の酸素濃縮装置であるが、空気圧縮機に加えて減圧ポンプを備えた真空圧力スィング吸着（ＶＰＳＡ：Vacuum Pressure Swing Adsorption System）方式の酸素濃縮装置であってもよい。ＶＰＳＡ方式の酸素濃縮装置は、減圧ポンプにより吸着筒内を負圧にして窒素の脱離を行うものである。
【００６０】
また、上記実施形態では、空気中の窒素を吸着させて酸素濃縮ガスを生成する吸着方式の酸素濃縮装置に本発明を適用した例を挙げて説明したが、本発明の適用対象はこれに限定されるものではない。本発明は、空気中の酸素を透過させて酸素濃縮ガスを生成する透過膜方式の酸素濃縮装置や、酸素ボンベや、液体酸素方式の酸素供給装置などにも適用可能である。但し、このような空気圧縮機２１を有さない酸素供給装置に本発明を適用する場合には、酸素供給流路内に残留する酸素を吸引するための吸引ポンプを別途設ける必要がある。また、上記実施形態では、弁によって酸素供給を停止しているが、酸素供給源の酸素の生成を停止することで、酸素供給を停止してもよい。
【産業上の利用可能性】
【００６１】
本発明を利用すれば、酸素排出器から酸素が漏れ出るのを迅速に停止することができる。
【符号の説明】
【００６２】
１  酸素濃縮装置（酸素供給装置）
３  酸素供給チューブ（酸素供給流路）
４  温度検知センサ
６  酸素供給部（酸素供給源）
７  酸素供給流路
１０  三方弁
１１  酸素吸込流路
１２  制御部
２１  空気圧縮機
２１ａ  空気吸込流路
５０  カニューラ（酸素排出器）
【図１】
2013066528.tif 000003
【図２】
2013066528.tif 000004
【図３】
2013066528.tif 000005
【図４】
2013066528.tif 000006
【図５】
2013066528.tif 000007